(57)【特許請求の範囲】
【請求項１】
屋根下地の上に、左右方向に隣り合う屋根材が、その側端部同士を突き合わされて配置されると共に、軒棟方向に隣り合う屋根材が、軒側の屋根材の棟側端部よりも棟側の屋根材の軒側端部が軒側に位置するように、軒側の屋根材の上に棟側の屋根材が重ねて配置されて、軒棟方向に複数段の屋根材が葺設されて形成された屋根材の葺設構造であって、
前記屋根材に第一固定具挿入孔が設けられていると共に、前記屋根材の少なくとも左右いずれかの側端部に第二固定具挿入孔が設けられており、
第一軸部の一端に第一頭部が設けられて形成された固定具の前記第一軸部が前記第一固定具挿入孔に挿入され、且つ、前記第一頭部で前記屋根材が押さえ付けられていると共に、左右の屋根材の側端部同士が突き合わされた状態で一本の第二軸部の一端に第二頭部を設けられて形成された他の固定具の前記第二軸部が前記第二固定具挿入孔に挿入され、且つ、前記第二頭部で前記第二固定具挿入孔の周縁部及び前記左右の屋根材の側端部が押さえ付けられた状態で、前記屋根材が前記屋根下地に固定されていることを特徴とする屋根材の葺設構造。
【請求項２】
前記屋根材の側端部において前記第二固定具挿入孔よりも軒側に切欠凹部が設けられていることを特徴とする請求項１に記載の屋根材の葺設構造。
【請求項３】
前記左右の屋根材の側端部の同じ箇所において前記第二固定具挿入孔が切欠状に形成されていることを特徴とする請求項１又は２に記載の屋根材の葺設構造。
【請求項４】
前記屋根下地が複数の縦桟又は垂木を軒棟方向に設置して形成され、前記第一固定具挿入孔に挿入された前記固定具及び前記第二固定具挿入孔に挿入された前記他の固定具が前記縦桟又は前記垂木に挿着されていることを特徴とする請求項１乃至３のいずれか一項に記載の屋根材の葺設構造。
【発明の詳細な説明】
【技術分野】
【０００１】
本発明は、平板状の屋根材を用いて形成される屋根材の葺設構造に関するものである。
【背景技術】
【０００２】
従来、屋根材の葺設構造を形成する方法としては、屋根材を千鳥に配置して施工する方法が一般的である。例えば、特許文献１に記載の屋根の施工方法は、隣接する屋根板の棟寄係合部に固定金具の差込部を差込むと共に固定金具を貫通孔を介して固定金具により屋根下地材に固定し、次いで別の屋根板の軒寄の端部を該固定金具のフック押え部に係合するようにしたものである。
【０００３】
また、近年、小屋裏の環境を改善するために野地板を二重にしてその間を通気空間とするような施工が行われている。この場合、野地板を二重にするので屋根の重量が増加することになる。そのため、縦桟等の桟木のみで通気空間を形成することも行われている。
【先行技術文献】
【特許文献】
【０００４】
【特許文献１】特開平５−１０００６号公報
【発明の概要】
【発明が解決しようとする課題】
【０００５】
しかし、従来の特許文献１に記載の屋根の施工方法では、強風下において屋根板の浮き上がりを抑制することはできても、屋根板を屋根下地材に固定するにあたって、釘以外に固定金具を必要とするため、屋根板の固定に手間がかかるものであった。
【０００６】
また、桟木のみで通気空間を形成する場合、屋根板を固定する釘の位置に応じて桟木を配置する必要があるため、使用する桟木の本数は結果的に多くなり、思ったほど屋根の重量を減少させることができない。しかも桟木の本数の増加等によりこの場合も施工に手間がかかるものであった。
【０００７】
本発明は上記の点に鑑みてなされたものであり、強風下や施工時において屋根材が浮き上がったりめくれたりすることを手間をかけずに抑制することができる屋根材の葺設構造を提供することを目的とするものである。
【課題を解決するための手段】
【０００８】
本発明に係る屋根材の葺設構造は、屋根下地の上に、左右方向に隣り合う屋根材が、その側端部同士を突き合わされて配置されると共に、軒棟方向に隣り合う屋根材が、軒側の屋根材の棟側端部よりも棟側の屋根材の軒側端部が軒側に位置するように、軒側の屋根材の上に棟側の屋根材が重ねて配置されて、軒棟方向に複数段の屋根材が葺設されて形成された屋根材の葺設構造であって、前記屋根材に第一固定具挿入孔が設けられていると共に、前記屋根材の少なくとも左右いずれかの側端部に第二固定具挿入孔が設けられており、第一軸部の一端に第一頭部が設けられて形成された固定具の前記第一軸部が前記第一固定具挿入孔に挿入され、且つ、前記第一頭部で前記屋根材が押さえ付けられていると共に、左右の屋根材の側端部同士が突き合わされた状態で一本の第二軸部の一端に第二頭部を設けられて形成された他の固定具の前記第二軸部が前記第二固定具挿入孔に挿入され、且つ、前記第二頭部で前記第二固定具挿入孔の周縁部及び前記左右の屋根材の側端部が押さえ付けられた状態で、前記屋根材が前記屋根下地に固定されていることを特徴とするものである。
【０００９】
前記屋根材の葺設構造において、前記屋根材の側端部において前記第二固定具挿入孔よりも軒側に切欠凹部が設けられていることが好ましい。
【００１０】
前記屋根材の葺設構造において、前記左右の屋根材の側端部の同じ箇所において前記第二固定具挿入孔が切欠状に形成されていることが好ましい。
【００１１】
前記屋根材の葺設構造において、前記屋根下地が複数の縦桟又は垂木を軒棟方向に設置して形成され、前記第一固定具挿入孔に挿入された前記固定具及び前記第二固定具挿入孔に挿入された前記他の固定具が前記縦桟又は前記垂木に挿着されていることが好ましい。
【発明の効果】
【００１２】
本発明によれば、第一固定具挿入孔に挿入された固定具で各屋根材を個別に押さえ付けるだけでなく、第二固定具挿入孔に挿入された固定具で左右の屋根材を一度に押さえ付けることによって、強風下や施工時において屋根材が浮き上がったりめくれたりすることを手間をかけずに抑制することができるものである。
【図面の簡単な説明】
【００１３】
【図１】屋根の葺設構造の一例を示すものであり、（ａ）は平面図、（ｂ）は（ａ）のＡ−Ａ線断面図である。
【図２】屋根の葺設構造の他の一例を示すものであり、（ａ）は平面図、（ｂ）は（ａ）のＡ−Ａ線断面図である。
【図３】屋根材の一例を示すものであり、（ａ）（ｂ）は平面図である。
【図４】第二固定具挿入孔及び切欠凹部の一例を示すものであり、（ａ）は図３のＣ部分を拡大した平面図、（ｂ）は図３のＤ部分を拡大した平面図、（ｃ）は図１及び図２のＢ部分を拡大した平面図である。
【図５】第二固定具挿入孔及び切欠凹部の他の一例を示すものであり、（ａ）は図３のＣ部分を拡大した平面図、（ｂ）は図３のＤ部分を拡大した平面図、（ｃ）は図１及び図２のＢ部分を拡大した平面図である。
【図６】第二固定具挿入孔及び切欠凹部の他の一例を示すものであり、（ａ）は図３のＣ部分を拡大した平面図、（ｂ）は図３のＤ部分を拡大した平面図、（ｃ）は図１及び図２のＢ部分を拡大した平面図である。
【発明を実施するための形態】
【００１４】
以下、本発明の実施の形態を説明する。
【００１５】
まず屋根材２について説明する。屋根材２は、住宅屋根用化粧スレート（ＪＩＳ  Ａ５４２３）に代表される窯業系の平板屋根材であり、例えば、水硬性材料を平板状に成形して形成されている。このような屋根材２は、図３（ａ）のように矩形状（例えば横長の長方形）に形成したり、図３（ｂ）のように棟側の両方の角部を斜めに切欠して面取り部１４を設けて形成したりすることができる。
【００１６】
また、屋根材２の内部の領域には第一固定具挿入孔６が１つ又は複数設けられている。第一固定具挿入孔６には、後述のように屋根材２を屋根下地１の上に葺設する場合に、固定具１０が挿入される。固定具１０としては、例えばビス、ネジ、釘等のように、軸部８の一端に頭部９を設けて形成されたものが用いられる。そして、このような固定具１０の軸部８が第一固定具挿入孔６に挿入され、この挿入方向に固定具１０の頭部９が第一固定具挿入孔６の周縁部を押さえ付ける。このとき、図示省略しているが、座金（ワッシャー）に固定具１０の軸部８を挿通し、座金を介在させて頭部９で第一固定具挿入孔６の周縁部を押さえ付けるようにしてもよい。また、図３のように第一固定具挿入孔６を複数設ける場合には、これらの第一固定具挿入孔６は、左右方向（軒と平行な方向）に沿って、後述の縦桟１２又は垂木１３と同じ間隔又はその複数倍の間隔で並んでいることが好ましい。さらに第一固定具挿入孔６は、屋根材２の軒棟方向の中央よりもやや棟側寄りの箇所に設けられていることが好ましい。
【００１７】
また、屋根材２の少なくとも左右いずれかの側端部３には第二固定具挿入孔７が１つ又は複数設けられている。第二固定具挿入孔７にも、後述のように屋根材２を屋根下地１の上に葺設する場合に固定具１０が挿入される。また第二固定具挿入孔７も、屋根材２の軒棟方向の中央よりもやや棟側寄りの箇所に設けられていることが好ましい。
【００１８】
図４は第二固定具挿入孔７の一例を示すものである。この場合の第二固定具挿入孔７は、屋根材２の左右の側端部３に１つずつ設けられている。図４（ａ）は屋根材２の左の側端部３に設けられた第二固定具挿入孔７を示し、図４（ｂ）は屋根材２の右の側端部３に設けられた第二固定具挿入孔７を示す。各第二固定具挿入孔７は、屋根材２の各側端部３において軒側から同じ距離の箇所において半円の切欠状に形成されている。図４（ｃ）は、後述のように複数の屋根材２を左右方向に隣り合わせて配置する場合において、左右の屋根材２の側端部３同士を突き合わせるときに、左側の屋根材２の右の側端部３に設けられた第二固定具挿入孔７と、右側の屋根材２の左の側端部３に設けられた第二固定具挿入孔７とを合致させた状態を示す。このように、半円の切欠状に形成された左右の第二固定具挿入孔７同士が合致すると、全体として円形の第二固定具挿入孔７が形成されることになる。この第二固定具挿入孔７に固定具１０の軸部８が挿入されるが、固定具１０の頭部９はこの円形の第二固定具挿入孔７を覆い隠す程度に大きい。図示省略しているが、座金（ワッシャー）に固定具１０の軸部８を挿通し、座金を介在させて頭部９で第二固定具挿入孔７の周縁部を押さえ付けるようにしてもよい。この場合には固定具１０の頭部９及び座金が第二固定具挿入孔７を覆い隠す程度に大きければよい。また、切欠状に形成された第二固定具挿入孔７は屋根材２の左右いずれかの側端部３のみに設けるようにしてもよい。この場合、第二固定具挿入孔７は、図示省略しているが、固定具１０の軸部８が屋根材２の側端部３の端面から飛び出ない程度に大きく形成されている。さらに固定具１０の頭部９（座金を用いる場合は座金も含む）は、この第二固定具挿入孔７を覆い隠し、さらに隣接する屋根材２の側端部３に引っ掛かる程度に大きい。
【００１９】
また図４に示すように、屋根材２の側端部３において第二固定具挿入孔７よりも軒側には切欠凹部１１が設けられていることが好ましい。図４では切欠凹部１１は台形状に形成されているが、後述の毛細管現象による水登りを抑制することができれば、切欠凹部１１の形状は特に限定されるものではない。図４では切欠凹部１１は屋根材２の左右の側端部３に設けられ、図４（ｃ）のように左右の屋根材２の第二固定具挿入孔７を合致させたときに切欠凹部１１も合致するように設けられているが、水登りを抑制することができれば、切欠凹部１１は屋根材２の左右いずれかの側端部のみに設けるようにしてもよい。
【００２０】
図５は第二固定具挿入孔７の他の一例を示すものであるが、第二固定具挿入孔７が三角形の切欠状に形成されている以外は、図４に示すものと同様である。この場合、三角形の切欠状に形成された左右の第二固定具挿入孔７が合致すると、図５（ｃ）のように全体として四角形又は菱形の第二固定具挿入孔７が形成される。この第二固定具挿入孔７に固定具１０の軸部８が挿入されるが、固定具１０の頭部９はこの四角形又は菱形の第二固定具挿入孔７を覆い隠す程度に大きい。図示省略しているが、座金を用いる場合には固定具１０の頭部９及び座金が第二固定具挿入孔７を覆い隠す程度に大きければよい。
【００２１】
上記のように第二固定具挿入孔７を切欠状に形成する場合、その形状は、固定具１０の頭部９（座金を用いる場合は座金も含む）で覆い隠すことができる程度の大きさであれば、図４に示す半円及び図５に示す三角形に限定されるものではない。
【００２２】
図６も第二固定具挿入孔７の他の一例を示すものであるが、この第二固定具挿入孔７は切欠状に形成されているのではなく、屋根材２の側端部３の近傍において円形に形成されている。この場合の第二固定具挿入孔７は、屋根材２の左右いずれかの側端部３に設けられている。図６では第二固定具挿入孔７は、屋根材２の左の側端部３に設けられているが、もちろん屋根材２の左の側端部３ではなく屋根材２の右の側端部３に設けられていてもよい。図６（ｃ）は、後述のように複数の屋根材２を左右方向に隣り合わせて配置する場合において、左右の屋根材２の側端部３同士を突き合わせるときに、左右の切欠凹部１１を合致させた状態を示す。この状態で第二固定具挿入孔７に固定具１０の軸部８が挿入されるが、固定具１０の頭部９は、この第二固定具挿入孔７を覆い隠し、さらに隣接する屋根材２の側端部３に引っ掛かる程度に大きい。この場合も第二固定具挿入孔７は円形に限定されるものではない。
【００２３】
次に、上記の屋根材２を用いて形成される屋根材２の葺設構造について説明する。
【００２４】
図１は屋根材２の葺設構造の一例を示すものであり、これは次のように施工して形成されている。まず、図１（ｂ）のように複数の垂木１３を軒棟方向に一定の間隔で設置した後、これらの垂木１３の上に合板等の野地板１５を張設する。次に、野地板１５の上にアスファルトルーフィング等の下葺き材１６を貼設した後、複数の縦桟１２を軒棟方向に一定の間隔で設置して屋根下地１を形成する。図１（ｂ）では左右方向に隣り合う縦桟１２同士の間隔は垂木１３同士の間隔の半分であるが、これに限定されるものではない。
【００２５】
次に、屋根下地１である縦桟１２の上に、軒側の左側又は右側から、１段目の屋根材２の側端部３同士を突き合わせて、複数の屋根材２を左右方向に隣り合わせて配置する。このとき、左右の屋根材２の側端部３の同じ箇所において第二固定具挿入孔７が切欠状に形成されていると、左右の屋根材２の第二固定具挿入孔７同士を合致させるようにすれば、左右の屋根材２の軒側端部５同士及び棟側端部４同士の位置が自然に揃い、位置合わせを容易に行うことができるものである。なお、軒側の屋根材２の棟側端部４は棟側の屋根材２の軒側部分で覆い隠されるので、最も棟側に配置される屋根材２以外の屋根材２については、少なくとも軒側端部５同士が揃っていればよい。そして、固定具１０の軸部８を各屋根材２の第一固定具挿入孔６に挿入し、固定具１０の頭部９で屋根材２を押さえ付ける。さらに左右の屋根材２の側端部３同士を突き合わせた状態で他の固定具１０の軸部８を第二固定具挿入孔７に挿入し、固定具１０の頭部９で左右の屋根材２の側端部３を押さえ付ける（図４（ｃ）、図５（ｃ）、図６（ｃ）参照）。このようにして１段目の屋根材２を屋根下地１の上に配置して葺設した後に、この１段目の屋根材２よりも棟側に２段目の屋根材２を千鳥に配置して葺設する。２段目の屋根材２も１段目の屋根材２と同様に左右方向に隣り合わせて配置する。そして、軒側の屋根材２の上に棟側の屋根材２を重ね、軒側の１段目の屋根材２の棟側端部４よりも棟側の２段目の屋根材２の軒側端部５が軒側に位置するように、軒棟方向に隣り合う１段目及び２段目の屋根材２を配置する。このとき、軒側の屋根材２の第一固定具挿入孔６及び第二固定具挿入孔７の箇所が露出していると、これらが目立つことにより意匠性が低下するおそれがあり、また、雨水が屋根材２に当たってそのまま第一固定具挿入孔６及び第二固定具挿入孔７から屋内に浸入するおそれがある。そのため、軒側の屋根材２の第一固定具挿入孔６及び第二固定具挿入孔７の箇所を棟側の屋根材２の軒側部分で覆い隠すことが好ましい。また、軒側の屋根材２に切欠凹部１１が設けられている場合には、同様の理由でこの切欠凹部１１を棟側の屋根材２の軒側部分で覆い隠すことが好ましい。このように覆い隠されても切欠凹部１１は、雨水等の水が毛細管現象により屋根材２の側端部３を突き合わせた箇所において軒側から棟側へ登ること（いわゆる水登り）を軽減し、切欠凹部１１よりも棟側に位置する第二固定具挿入孔７から水が屋内に浸入することを抑制することができるものである。
【００２６】
３段目以降の屋根材２も１段目及び２段目の屋根材２と同様に千鳥に配置して葺設する。そして、第一固定具挿入孔６及び第二固定具挿入孔７に挿入された固定具１０が、屋根下地１である縦桟１２に挿着されることによって、全ての屋根材２が屋根下地１に固定されている。このように、左右方向に複数の屋根材２を配置して葺設すると共に、軒棟方向に複数段の屋根材２を配置して葺設することによって、図１（ａ）のような屋根材２の葺設構造を形成することができる。
【００２７】
このようにして形成された屋根材２の葺設構造においては、第一固定具挿入孔６に挿入された固定具１０で各屋根材２を個別に押さえ付けるだけでなく、第二固定具挿入孔７に挿入された固定具１０で左右の屋根材２を一度に押さえ付けることによって、強風下や施工時において屋根材２が浮き上がったりめくれたりすることを手間をかけずに抑制することができるものである。また、図１では屋根材２を縦桟１２に固定するようにしているので、屋根材２の直下に縦桟１２の厚み分だけ通気層１７を形成することができるものである。
【００２８】
図２は屋根材２の葺設構造の他の一例を示すものであり、これは次のように施工して形成されている。まず、図２（ｂ）のように複数の垂木１３を軒棟方向に一定の間隔で設置して屋根下地１を形成した後、これらの垂木１３の上にアスファルトルーフィング等の下葺き材１６を貼設する。
【００２９】
次に、下葺き材１６を介して屋根下地１である垂木１３の上に、図１の場合と同様に軒側の左側又は右側から、１段目の屋根材２の側端部３同士を突き合わせて、複数の屋根材２を左右方向に隣り合わせて配置する。２段目以降の屋根材２も図１の場合と同様に千鳥に配置して葺設する。そして、第一固定具挿入孔６及び第二固定具挿入孔７に挿入された固定具１０が、屋根下地１である垂木１３に挿着されることによって、全ての屋根材２が屋根下地１に固定されている。このように、左右方向に複数の屋根材２を配置して葺設すると共に、軒棟方向に複数段の屋根材２を配置して葺設することによって、図２（ａ）のような屋根材２の葺設構造を形成することができる。
【００３０】
このようにして形成された屋根材２の葺設構造においても、第一固定具挿入孔６に挿入された固定具１０で各屋根材２を個別に押さえ付けるだけでなく、第二固定具挿入孔７に挿入された固定具１０で左右の屋根材２を一度に押さえ付けることによって、強風下や施工時において屋根材２が浮き上がったりめくれたりすることを手間をかけずに抑制することができるものである。また、図２では屋根材２を垂木１３に固定するようにしているので、野地板１５を垂木１３に張設する必要がなくなり、さらに手間を省くことができるものである。
【符号の説明】
【００３１】
１  屋根下地
２  屋根材
３  側端部
４  棟側端部
５  軒側端部
６  第一固定具挿入孔
７  第二固定具挿入孔
８  軸部
９  頭部
１０  固定具
１１  切欠凹部
１２  縦桟
１３  垂木
【図１】
0005890662.tif 000002
【図２】
0005890662.tif 000003
【図３】
0005890662.tif 000004
【図４】
0005890662.tif 000005
【図５】
0005890662.tif 000006
【図６】
0005890662.tif 000007